(57)【要約】  複数の同軸ケーブルを並列に接続可能であるとともに大型化を抑えることができる同軸コネクタを提供する。本発明に係る同軸コネクタは、内部端子と、外部端子と、内部端子と外部端子との間に配置される絶縁性部材とを備え、外部端子は、複数の同軸ケーブルを保持する保持部と、複数の同軸ケーブルのそれぞれに対応するように設けられた複数のかしめ部とを備え、同軸ケーブルの配列方向において最も外側に配列されたかしめ部は、同軸ケーブルの外周部に沿って曲げられる板状部材で構成され、配列方向における両端部の間の部分に保持部との接続部分を有し、同軸ケーブルの長手方向に対して直交する断面視において、配列方向に対して直交し且つ同軸ケーブルの中心を通る仮想直線と保持部との接続部分との交点から配列方向の内側に延在する内側爪部が、前記交点から配列方向の外側に延在する外側爪部よりも短く構成されている。
2019044905.tif 000002
【特許請求の範囲】
【請求項１】
中心導体と当該中心導体の周囲に配置された外部導体とをそれぞれ有する複数の同軸ケーブルを並列に接続可能な同軸コネクタであって、
前記複数の同軸ケーブルの中心導体に接続される内部端子と、
前記複数の同軸ケーブルの外部導体に接続される外部端子と、
前記内部端子と前記外部端子との間に配置される絶縁性部材と、
を備え、
前記外部端子は、
前記複数の同軸ケーブルを保持する保持部と、
前記複数の同軸ケーブルのそれぞれに対応するように設けられた複数のかしめ部と、
を備え、
前記複数の同軸ケーブルの配列方向において最も外側に配列された２つの同軸ケーブルの少なくとも一方に対応するかしめ部は、前記同軸ケーブルの外周部に沿って曲げられる板状部材で構成され、前記複数の同軸ケーブルの配列方向における両端部の間の部分に前記保持部との接続部分を有し、前記同軸ケーブルの長手方向に対して直交する断面視において、前記配列方向に対して直交し且つ前記同軸ケーブルの中心を通る仮想直線と前記保持部との接続部分との交点から前記配列方向の内側に延在する内側爪部と、前記交点から前記配列方向の外側に延在する外側爪部とを備え、前記内側爪部は前記外側爪部よりも短い、同軸コネクタ。
【請求項２】
前記内側爪部は、前記同軸ケーブルの外周の半分よりも短く、
前記外側爪部は、前記同軸ケーブルの外周の半分よりも長い、
請求項１に記載の同軸コネクタ。
【請求項３】
前記内側爪部は、前記同軸ケーブルの外周の４分の１以上の長さを有する、
請求項１又は２に記載の同軸コネクタ。
【請求項４】
前記内側爪部と前記外側爪部との合計長さは、前記同軸ケーブルの外周と同一である、請求項１〜３のいずれか１つに記載の同軸コネクタ。
【請求項５】
前記同軸コネクタは、２つの同軸ケーブルが並列に接続されるように構成され、
一方の同軸ケーブルに対応するように設けられた前記かしめ部の前記内側爪部と他方の同軸ケーブルに対応するように設けられた前記かしめ部の前記内側爪部とが互いに隣接するように構成されている、請求項１〜４のいずれか１つに記載の同軸コネクタ。
【請求項６】
前記複数のかしめ部の前記並列方向において最も外側に設けられたかしめ部のうち少なくとも一方のかしめ部は、前記同軸ケーブルの外周部に沿う内側面が、前記内側爪部の先端部及び前記外側爪部の先端部の少なくとも一方において、当該先端部に向かうに従い前記内側面とは反対側の外側面に向けて傾斜する傾斜部分を備える、請求項１〜５のいずれか１つに記載の同軸コネクタ。
【請求項７】
請求項１〜５のいずれか１つに記載の同軸コネクタと、
前記同軸コネクタに並列に接続された前記複数の同軸ケーブルと、
を備える、同軸ケーブル付き同軸コネクタ。
【請求項８】
前記かしめ部は、前記外部導体をかしめるように構成されている、請求項７に記載の同軸ケーブル付き同軸コネクタ。
【請求項９】
前記同軸ケーブルは、外部導体の周囲に配置された絶縁被膜を有し、
前記かしめ部は、前記外部導体をかしめるとともに前記絶縁被膜をかしめるように構成されている、請求項７に記載の同軸ケーブル付き同軸コネクタ。
【発明の詳細な説明】
【技術分野】
【０００１】
本発明は、同軸コネクタ及び同軸ケーブル付き同軸コネクタに関する。
【背景技術】
【０００２】
従来、この種の同軸コネクタとして、例えば、特許文献１（特開２０１５−１０６５５８号公報）に開示されたものが知られている。【０００３】
従来の同軸コネクタは、同軸ケーブルの中心導体に接続される内部端子（ソケット）と、同軸ケーブルの外部導体に接続される外部端子（ハウジング）と、内部端子と外部端子との間に配置される絶縁性部材（ブッシング）とを備えている。外部端子には、同軸ケーブルを固定するためのかしめ部が設けられている。
【先行技術文献】
【特許文献】
【０００４】
【特許文献１】特開２０１５−１０６５５８号公報
【発明の概要】
【発明が解決しようとする課題】
【０００５】
１つの同軸コネクタに対して２つ以上の同軸ケーブルを並列に接続したいという要望がある。この要望を実現する構成として、例えば、外部端子に２つ以上のかしめ部を設けて、それぞれのかしめ部が１つの同軸ケーブルを固定する構成が考えられる。【０００６】
しかしながら、従来のかしめ部の構成では、互いに隣接するかしめ部の間隔を狭くするのに限界があり、同軸コネクタの大型化を抑えるという観点において未だ改善の余地がある。【０００７】
従って、本発明の目的は、前記課題を解決することにあって、複数の同軸ケーブルを並列に接続可能であるとともに大型化を抑えることができる同軸コネクタ及び同軸ケーブル付き同軸コネクタを提供することにある。
【課題を解決するための手段】
【０００８】
前記目的を達成するために、本発明は以下のように構成する。
本発明に係る同軸コネクタは、中心導体と当該中心導体の周囲に配置された外部導体とをそれぞれ有する複数の同軸ケーブルを並列に接続可能な同軸コネクタであって、
前記複数の同軸ケーブルの中心導体に接続される内部端子と、
前記複数の同軸ケーブルの外部導体に接続される外部端子と、
前記内部端子と前記外部端子との間に配置される絶縁性部材と、
を備え、
前記外部端子は、
前記複数の同軸ケーブルを保持する保持部と、
前記複数の同軸ケーブルのそれぞれに対応するように設けられた複数のかしめ部と、
を備え、
前記複数の同軸ケーブルの配列方向において最も外側に配列された２つの同軸ケーブルの少なくとも一方に対応するかしめ部は、前記同軸ケーブルの外周部に沿って曲げられる板状部材で構成され、前記複数の同軸ケーブルの配列方向における両端部の間の部分に前記保持部との接続部分を有し、前記同軸ケーブルの長手方向に対して直交する断面視において、前記配列方向に対して直交し且つ前記同軸ケーブルの中心を通る仮想直線と前記保持部との接続部分との交点から前記配列方向の内側に延在する内側爪部と、前記交点から前記配列方向の外側に延在する外側爪部とを備え、前記内側爪部は前記外側爪部よりも短くなるように構成されている。
【発明の効果】
【０００９】
本発明に係る同軸コネクタによれば、複数の同軸ケーブルを並列に接続可能であるとともに大型化を抑えることができる。
【図面の簡単な説明】
【００１０】
【図１】本発明の実施形態に係る同軸ケーブル付き同軸コネクタの概略構成を示す斜視図である。
【図２】図１の同軸ケーブル付き同軸コネクタの分解斜視図である。
【図３】図１の同軸ケーブル付き同軸コネクタに相手方コネクタが嵌合された状態を示す斜視図である。
【図４】本発明の実施形態に係る同軸コネクタの概略構成を示す斜視図である。
【図５Ａ】図４の同軸コネクタが備えるかしめ部の製造方法の一例を示す平面図である。
【図５Ｂ】図５Ａに続く工程を示す平面図である。
【図５Ｃ】図５Ｂに続く工程を示す平面図である。
【図６】図４の同軸コネクタが備えるかしめ部内に同軸ケーブルが配置された状態を示す断面図である。
【図７】図４の同軸コネクタが備えるかしめ部を圧着装置内に配置した状態を示す断面図である。
【図８】図４の同軸コネクタが備えるかしめ部が同軸ケーブルをかしめた状態を示す断面図である。
【図９】図４の同軸コネクタが備えるかしめ部の変形例を示す断面図である。
【図１０】１枚の板状部材から従来の構成を有するかしめ部を２つ形成する様子を示す断面図である。
【発明を実施するための形態】
【００１１】
（本発明の基礎となった知見）
本発明者らは、複数の同軸ケーブルを並列に接続可能な同軸コネクタの大型化を抑えるため、鋭意検討した結果、以下の知見を得た。
【００１２】
従来の同軸コネクタにおいて、かしめ部は、１枚の板状部材を長手方向の中心部を起点として断面Ｕ字状に曲げることにより形成されている。外部端子に複数のかしめ部を設ける場合においても、１枚の板状部材に対して切断及び曲げ加工を行うことで複数のかしめ部を形成できれば、生産性など様々な観点で有利である。
【００１３】
図１０に示すように、１枚の板状部材１００から２つのかしめ部１０１を形成するには、１枚の板状部材１００を長手方向の中心部Ｃ１で切断し、切断後の各板状部材１００ａをそれらの長手方向の中心部Ｃ２を起点として断面Ｕ字状に曲げればよい。しかしながら、この場合、互いに隣接するかしめ部１０１の間に、かしめ部１０１の展開長分の空間が空くことになる。このため、互いに隣接するかしめ部１０１の間隔を狭くすることができない。
【００１４】
これに対して、本発明者らは、かしめ部１０１の内側爪部１０１ａを外側爪部１０２ｂよりも短くなるように構成することで、互いに隣接するかしめ部１０１の間隔を狭くできることを見出した。この新規な知見に基づいて、本発明者らは、以下の発明に至った。
【００１５】
本発明の一態様に係る同軸コネクタは、中心導体と当該中心導体の周囲に配置された外部導体とをそれぞれ有する複数の同軸ケーブルを並列に接続可能な同軸コネクタであって、
前記複数の同軸ケーブルの中心導体に接続される内部端子と、
前記複数の同軸ケーブルの外部導体に接続される外部端子と、
前記内部端子と前記外部端子との間に配置される絶縁性部材と、
を備え、
前記外部端子は、
前記複数の同軸ケーブルを保持する保持部と、
前記複数の同軸ケーブルのそれぞれに対応するように設けられた複数のかしめ部と、
を備え、
前記複数の同軸ケーブルの配列方向において最も外側に配列された２つの同軸ケーブルの少なくとも一方に対応するかしめ部は、前記同軸ケーブルの外周部に沿って曲げられる板状部材で構成され、前記複数の同軸ケーブルの配列方向における両端部の間の部分に前記保持部との接続部分を有し、前記同軸ケーブルの長手方向に対して直交する断面視において、前記配列方向に対して直交し且つ前記同軸ケーブルの中心を通る仮想直線と前記保持部との接続部分との交点から前記配列方向の内側に延在する内側爪部と、前記交点から前記配列方向の外側に延在する外側爪部とを備え、前記内側爪部は前記外側爪部よりも短くなるように構成されている。
【００１６】
この構成によれば、複数の同軸ケーブルを並列に接続可能であるとともに、互いに隣接するかしめ部の間隔を狭くして、同軸コネクタの大型化を抑えることができる。
【００１７】
なお、前記内側爪部は、前記同軸ケーブルの外周の半分よりも短く、前記外側爪部は、前記同軸ケーブルの外周の半分よりも長くてもよい。この構成によれば、かしめ部が同軸ケーブルをかしめた状態において、内側爪部の先端部と外側爪部の先端部とが、前記仮想直線よりも、同軸ケーブルの配列方向の内側に位置することになる。前述したように互いに隣接するかしめ部の間隔は狭くすることができるので、内側爪部の先端部又は外側爪部の先端部が何かに引っ掛かってかしめが解除されてしまうことを抑えることができる。
【００１８】
また、前記内側爪部は、前記同軸ケーブルの外周の４分の１以上の長さを有してもよい。この構成によれば、同軸ケーブルをかしめ部で固定する際に、同軸ケーブルの横方向の移動を規制することができ、同軸コネクタの製造を容易にすることができる。
【００１９】
また、前記内側爪部と前記外側爪部との合計長さは、前記同軸ケーブルの外周と同一であってもよい。この構成によれば、同軸ケーブルとかしめ部との接触面積を大きくして、同軸ケーブルを保持する信頼性を向上させることができる。また、同軸ケーブルをかしめるために、同軸ケーブルを必要以上に圧縮して断面形状を変形させる必要がなく、同軸ケーブルの断面形状の変形による特性インピーダンスの変動を抑えて、電気的特性の劣化を抑えることができる。なお、「同一」とは、完全に同一であることを意味するものではなく、製造上の公差等を鑑み、ほぼ同一であることも含む意味である。
【００２０】
また、前記同軸コネクタは、２つの同軸ケーブルが並列に接続されるように構成され、一方の同軸ケーブルに対応するように設けられた前記かしめ部の前記内側爪部と他方の同軸ケーブルに対応するように設けられた前記かしめ部の前記内側爪部とが互いに隣接するように構成されてもよい。この構成によれば、２つの同軸ケーブルを並列に接続可能な同軸コネクタにおいて、大型化をより一層抑えることができる。
【００２１】
また、前記複数のかしめ部の前記並列方向において最も外側に設けられたかしめ部のうち少なくとも一方のかしめ部は、前記同軸ケーブルの外周部に沿う内側面が、前記内側爪部の先端部及び前記外側爪部の先端部の少なくとも一方において、当該先端部に向かうに従い前記内側面とは反対側の外側面に向けて傾斜する傾斜部分を備えてもよい。この構成によれば、かしめ部が同軸ケーブルをかしめるときに、内側爪部の先端部及び外側爪部の少なくとも一方によって同軸ケーブルが損傷することを抑えることができる。
【００２２】
本発明の一態様に係る同軸ケーブル付き同軸コネクタは、前記同軸コネクタと、前記同軸コネクタに並列に接続された前記複数の同軸ケーブルとを備えている。この構成によれば、互いに隣接するかしめ部の間隔を狭くして、同軸コネクタの大型化を抑えることができる。
【００２３】
また、前記かしめ部は、前記外部導体をかしめるように構成されてもよい。この構成によれば、かしめ部を通じて、外部端子と同軸ケーブルの外部導体との電気的接続を確保することができる。
【００２４】
また、前記同軸ケーブルは、外部導体の周囲に配置された絶縁被膜を有し、前記かしめ部は、前記外部導体をかしめるとともに前記絶縁被膜をかしめるように構成されてもよい。この構成によれば、同軸ケーブルとかしめ部との接触面積を大きくして、同軸ケーブルを保持する信頼性を向上させることができる。
【００２５】
以下、本発明の実施形態について、図面を参照しながら説明する。なお、この実施形態によって本発明が限定されるものではない。また、図面において実質的に同一の部材については同一の符号を付している。
【００２６】
また、以下では、説明の便宜上、「上」、「下」、「横」、「斜め」等の方向を示す用語を用いている。しかしながら、これらの用語は、本発明の同軸コネクタの使用状態等を限定することを意味するものではない。
【００２７】
《実施形態》
図１は、本発明の実施形態に係る同軸ケーブル付き同軸コネクタの概略構成を示す斜視図である。図２は、図１の同軸ケーブル付き同軸コネクタの分解斜視図である。以下、同軸ケーブル付き同軸コネクタを「プラグケーブル」という。
【００２８】
図１及び図２に示すように、プラグケーブル１は、同軸ケーブル２Ａ，２Ｂと、同軸コネクタ３とを備えている。
【００２９】
同軸ケーブル２Ａと同軸ケーブル２Ｂとは、同様の構造を有している。同軸ケーブル２Ａ，２Ｂは、図２に示すように、絶縁被膜２１と、外部導体２２と、絶縁性部材２３と、中心導体２４とを備えている。絶縁性部材２３は、中心導体２４の周囲に設けられている。外部導体２２は、絶縁性部材２３の周囲に設けられている。絶縁被膜２１は、外部導体２２の周囲に設けられている。絶縁被膜２１と外部導体２２と絶縁性部材２３とは、管状に形成されている。
【００３０】
また、同軸ケーブル２Ａ，２Ｂの先端部においては、絶縁被膜２１が除去されて外部導体２２の先端部が露出するとともに、絶縁被膜２１及び外部導体２２が除去されて絶縁性部材２３の先端部が露出している。すなわち、同軸ケーブル２Ａ，２Ｂの先端部は、先端側から順に、絶縁性部材２３、外部導体２２、絶縁被膜２１が露出するように構成されている。
【００３１】
同軸コネクタ３は、同軸ケーブル２Ａ，２Ｂを並列に接続可能に構成されている。本実施形態において、同軸コネクタ３は、Ｌ型同軸コネクタである。同軸コネクタ３は、内部端子３１と、絶縁性部材３２と、外部端子（ハウジングともいう）３３とを備えている。
【００３２】
同軸コネクタ３は、図３に示すように、相手方コネクタ（レセプタクルともいう）４に着脱自在に嵌合されて使用される。相手方コネクタ４は、例えば、プリント基板のような回路基板上に実装されるものである。相手方コネクタ４は、内部端子３１と接続される中心導体４１と、絶縁性部材４２と、外部端子３３と接続される外部導体４３とを備えている。絶縁性部材４２は、中心導体４１と外部導体４３との間に配置され、中心導体４１と外部導体４３とを電気的に絶縁するように機能する。
【００３３】
内部端子３１は、同軸ケーブル２Ａ，２Ｂのそれぞれの中心導体２４に接続される端子である。本実施形態において、内部端子３１は、曲げ加工された複数の金属板により構成されている。金属板は、例えば銅合金である。金属板の表面には、例えば、ニッケルメッキ及び金メッキが施されている。なお、内部端子３１の構成については、特に限定されるものではなく、従来公知の種々の構成を採用することができる。
【００３４】
絶縁性部材３２は、内部端子３１と外部端子３３との間に配置され、内部端子３１と外部端子３３とを電気的に絶縁するように機能する。本実施形態において、絶縁性部材３２は、上ケース３２１と、下ケース３２２とを備えている。上ケース３２１と下ケース３２２との間に内部端子３１が挟み込まれるように配置されている。上ケース３２１及び下ケース３２２の周囲に外部端子３３が配置されている。上ケース３２１及び下ケース３２２は、例えば、液晶ポリマーなどの樹脂で構成されている。なお、絶縁性部材３２については、特に限定されるものではなく、従来公知の種々の構成を採用することができる。
【００３５】
外部端子３３は、同軸ケーブル２Ａ，２Ｂのそれぞれの外部導体２２に接続される端子である。外部端子３３は、図３に示す相手方コネクタ４との嵌合力を確保するとともに、グランドとの電気的な接続を確保するように機能する。外部端子３３は、１枚の金属板（例えば、ばね用りん青銅）を打ち抜き、切断、曲げ加工等することによって構成されている。
【００３６】
外部端子３３は、同軸ケーブル２Ａ，２Ｂを保持する保持部３３１と、同軸ケーブル２Ａ，２Ｂのそれぞれに対応するように設けられた複数のかしめ部３３２Ａ，３３２Ｂとを備えている。
【００３７】
保持部３３１は、同軸ケーブル２Ａ，２Ｂの軸方向に延在している。絶縁性部材３２の上ケース３２１の一部及び下ケース３２２の一部は、保持部３３１の上方に位置している。同軸ケーブル２Ａ，２Ｂは、絶縁性部材２３の露出部分が保持部３３１の上方に位置するように配置される。本実施形態において、保持部３３１は、爪部３３１Ａ，３３１Ｂを備えている。爪部３３１Ａは、上ケース３２１の一部、下ケース３２２の一部、同軸ケーブル２Ａの絶縁性部材２３の露出部分を保持するように構成されている。爪部３３１Ｂは、上ケース３２１の一部、下ケース３２２の一部、同軸ケーブル２Ｂの絶縁性部材２３の露出部分を保持するように構成されている。なお、本実施形態において、爪部３３１Ａ及び爪部３３１Ｂは、図１〜図３に示すように２つに分割されるものとしたが、一体化されていてもよい。
【００３８】
図４は、同軸コネクタ３の概略構成を示す斜視図である。
【００３９】
かしめ部３３２Ａは、同軸ケーブル２Ａの外周部に沿って曲げられる板状部材で構成されている。かしめ部３３２Ａは、同軸ケーブル２Ａ，２Ｂの配列方向（並列方向ともいう）Ｘにおける両端部の間の部分である底部３３２Ａａで保持部３３１に接続されている。底部３３２Ａａは、かしめ部３３２Ａにおいて同軸ケーブル２Ａの長手方向に延在する領域である。ここで、同軸ケーブル２Ａの長手方向に対して直交する断面視（図６参照）において、配列方向Ｘに対して直交し且つ同軸ケーブル２Ａの中心を通る仮想直線を仮想直線Ｌ１とする。また、保持部３３１Ａとの接続部分である底部３３２Ａａと仮想直線Ｌ１との交点を交点Ｐ１とする。交点Ｐ１から配列方向Ｘの内側に延在する内側爪部３３２Ａｂは、交点Ｐ１から配列方向Ｘの外側に延在する外側爪部３３２Ａｃよりも短く構成されている。具体的には、内側爪部３３２Ａｂは同軸ケーブル２Ａの外周の半分よりも短く、外側爪部３３２Ａｃは同軸ケーブル２Ａの外周の半分よりも長く構成されている。本実施形態において、内側爪部３３２Ａｂと外側爪部３３２Ａｃとの合計長さは、同軸ケーブル２Ａの外周と同一である。また、内側爪部３３２Ａｂは、同軸ケーブル２Ａの外周の４分の１以上の長さを有している。
【００４０】
本実施形態において、かしめ部３３２Ａは、同軸ケーブル２Ａの外部導体２２をかしめるとともに、同軸ケーブル２Ａの絶縁被膜２１をかしめるように構成されている。具体的には、かしめ部３３２Ａは、同軸ケーブル２Ａの外部導体２２をかしめるための爪部３３２Ａ１と、同軸ケーブル２Ａの絶縁被膜２１をかしめるための爪部３３２Ａ２とに分割されている。
【００４１】
かしめ部３３２Ｂは、配列方向Ｘにおいて、かしめ部３３２Ａに対して左右対称に構成されている。具体的には、かしめ部３３２Ｂは、同軸ケーブル２Ｂの外周部に沿って曲げられる板状部材で構成されている。かしめ部３３２Ｂは、同軸ケーブル２Ａ，２Ｂの配列方向Ｘにおける両端部の間の部分である底部３３２Ｂａで保持部３３１に接続されている。底部３３２Ｂａは、かしめ部３３２Ｂにおいて同軸ケーブル２Ｂの長手方向に延在する領域である。ここで、同軸ケーブル２Ｂの長手方向に対して直交する断面視（図６参照）において、配列方向Ｘに対して直交し且つ同軸ケーブル２Ｂの中心を通る仮想直線を仮想直線Ｌ２とする。また、保持部３３１との接続部分である底部３３２Ｂａと仮想直線Ｌ２との交点を交点Ｐ２とする。交点Ｐ２から配列方向Ｘの内側に延在する内側爪部３３２Ｂｂは、交点Ｐ２から配列方向Ｘの外側に延在する外側爪部３３２Ｂｃよりも短く構成されている。具体的には、内側爪部３３２Ｂｂは同軸ケーブル２Ｂの外周の半分よりも短く、外側爪部３３２Ｂｃは同軸ケーブル２Ｂの外周の半分よりも長く構成されている。本実施形態において、内側爪部３３２Ｂｂと外側爪部３３２Ｂｃとの合計長さは、同軸ケーブル２Ｂの外周と同一である。また、内側爪部３３２Ｂｂは、同軸ケーブル２Ｂの外周の４分の１以上の長さを有している。
【００４２】
本実施形態において、かしめ部３３２Ｂは、同軸ケーブル２Ｂの外部導体２２をかしめるとともに、同軸ケーブル２Ｂの絶縁被膜２１をかしめるように構成されている。具体的には、かしめ部３３２Ｂは、同軸ケーブル２Ｂの外部導体２２をかしめるための爪部３３２Ｂ１と、同軸ケーブル２Ｂの絶縁被膜２１をかしめるための爪部３３２Ｂ２とに分割されている。
【００４３】
次に、図５Ａ〜図５Ｃを用いて、かしめ部３３２Ａ，３３２Ｂの製造方法の一例を説明する。図５Ａ〜図５Ｃは、かしめ部３３２Ａ，３３２Ｂの製造方法の一例を示す平面図である。
【００４４】
まず、図５Ａに示すように、外部端子３３の保持部３３１に接続された板状部材３３２（平板）を用意する。なお、板状部材３３２は、保持部３３１と一体であってもよい。
【００４５】
次いで、図５Ｂに示すように、板状部材３３２を打ち抜き又は切断加工して、かしめ部３３２Ａ，３３２Ｂの展開形状に対応する板状部材３３２ａ，３３２ｂを形成する。
【００４６】
次いで、図５Ｃに示すように、板状部材３３２ａ，３３２ｂを曲げ加工して、かしめ部３３２Ａ，３３２Ｂを形成する。
【００４７】
次に、図６〜図８を用いて、かしめ部３３２Ａ，３３２Ｂが同軸ケーブル２Ａ，２Ｂをかしめる動作の一例を説明する。図６〜図８は、かしめ部３３２Ａ，３３２Ｂが同軸ケーブル２Ａ，２Ｂをかしめる動作の一例を示す断面図である。
【００４８】
まず、図６に示すように、かしめ部３３２Ａの内側に同軸ケーブル２Ａを配置するとともに、かしめ部３３２Ｂの内側に同軸ケーブル２Ｂを配置する。
【００４９】
次いで、図７に示すように、かしめ部３３２Ａ及びかしめ部３３２Ｂを圧着装置５０内に配置する。圧着装置５０は、アンビル５１と、クリンパ５２とを備えている。アンビル５１は、略等脚台形状の断面を有し、頂部に凹部５１ａが設けられている。アンビル５１の頂部において凹部５１ａを挟んで対向する位置にかしめ部３３２Ａ及びかしめ部３３２Ｂを配置する。クリンパ５２は、アンビル５１に対応する形状の溝部５２ａを有し、頂部にアンビル５１の凹部５１ａに対応する凸部５２ｂが設けられている。
【００５０】
次いで、アンビル５１の凹部５１ａにクリンパ５２の凸部５２ｂが挿入されるように、アンビル５１とクリンパ５２とを型閉じする。このとき、かしめ部３３２Ａの外側爪部３３２Ａｃが、クリンパ５２の溝部５２ａの内面に沿って摺動して、同軸ケーブル２Ａの外周部に沿って曲げられる。同様に、かしめ部３３２Ｂの外側爪部３３２Ｂｃが、クリンパ５２の溝部５２ａの内面に沿って摺動して、同軸ケーブル２Ｂの外周部に沿って曲げられる。
【００５１】
その結果、図８に示すように、かしめ部３３２Ａが同軸ケーブル２Ａの周囲に巻き付いて同軸ケーブル２Ａをかしめるとともに、かしめ部３３２Ｂが同軸ケーブル２Ｂの周囲に巻き付いて同軸ケーブル２Ｂをかしめる。
【００５２】
本実施形態に係る同軸コネクタ３によれば、同軸ケーブル２Ａ，２Ｂを並列に接続することができる。また、かしめ部３３２Ａの内側爪部３３２Ａｂが外側爪部３３２Ａｃよりも短くするとともに、かしめ部３３２Ｂの内側爪部３３２Ｂｂが外側爪部３３２Ｂｃよりも短くしているので、かしめ部３３２Ａとかしめ部３３２Ｂとの間隔を狭くすることができる。その結果、同軸コネクタ３の大型化を抑えることができる。例えば、同軸ケーブル２Ａ，２Ｂの直径が０．５ｍｍである場合、同軸ケーブル２Ａ，２Ｂの中心間の距離を１．１ｍｍ程度にすることができる。
【００５３】
また、本実施形態に係る同軸コネクタ３によれば、内側爪部３３２Ａｂは同軸ケーブル２Ａの外周の半分よりも短く、外側爪部３３２Ａｃは同軸ケーブル２Ａの外周の半分よりも長く構成されている。この構成によれば、図８に示すように、かしめ部３３２Ａが同軸ケーブル２Ａをかしめた状態において、内側爪部３３２Ａｂの先端部と外側爪部３３２Ａｃの先端部とが、仮想直線Ｌ１よりも同軸ケーブル２Ａ，２Ｂの配列方向Ｘの内側に位置することになる。前述したように互いに隣接するかしめ部３３２Ａとかしめ部３３２Ｂとの間隔は狭くすることができるので、内側爪部３３２Ａｂの先端部又は外側爪部３３２Ａｃの先端部が何かに引っ掛かってかしめが解除されてしまうことを抑えることができる。
【００５４】
また、本実施形態に係る同軸コネクタ３によれば、内側爪部３３２Ａｂは、同軸ケーブル２Ａの外周の４分の１以上の長さを有している。この構成によれば、内側爪部３３２Ａｂと外側爪部３３２Ａｃとにより同軸ケーブル２Ａを直径分、保持することができる。これにより、同軸ケーブル２Ａをかしめ部３３２Ｂで固定する際に、同軸ケーブル２Ａの横方向（配列方向Ｘ）の移動を規制することができ、同軸コネクタ３の製造を容易にすることができる。
【００５５】
また、本実施形態に係る同軸コネクタ３によれば、内側爪部３３２Ａｂと外側爪部３３２Ａｃとの合計長さは、同軸ケーブル２の外周と同一に構成されている。この構成によれば、同軸ケーブル２Ａとかしめ部３３２Ａとの接触面積を大きくして、同軸ケーブル２Ａを保持する信頼性を向上させることができる。また、同軸ケーブル２Ａをかしめるために、同軸ケーブル２Ａを必要以上に圧縮して断面形状を変形させる必要がなく、同軸ケーブル２Ａの断面形状の変形による特性インピーダンスの変動を抑えて、電気的特性の劣化を抑えることができる。なお、「同一」とは、完全に同一であることを意味するものではなく、製造上の公差等を鑑み、ほぼ同一であることも含む意味である。
【００５６】
また、本実施形態に係る同軸コネクタ３によれば、かしめ部３３２Ａの内側爪部３３２Ａｂとかしめ部３３２Ｂの内側爪部３３２Ｂｂとが互いに隣接するように構成されている。この構成によれば、かしめ部３３２Ａとかしめ部３３２Ｂとの間隔を一層狭くすることができ、同軸コネクタ３の大型化をより一層抑えることができる。
【００５７】
また、本実施形態に係る同軸コネクタ３によれば、かしめ部３３２Ａは、爪部３３２Ａ１により外部導体２２をかしめるように構成されている。この構成によれば、かしめ部３３２Ａを通じて、外部端子３３と同軸ケーブル２Ａの外部導体２２との電気的接続を確保することができる。
【００５８】
また、本実施形態に係る同軸コネクタ３によれば、かしめ部３３２Ａは、更に爪部３３２Ａ２により絶縁被膜２１をかしめるように構成されている。この構成によれば、同軸ケーブル２Ａとかしめ部３３２Ａとの接触面積を大きくして、同軸ケーブル２Ａを保持する信頼性を向上させることができる。
【００５９】
また、本実施形態に係る同軸コネクタ３によれば、かしめ部３３２Ｂは、かしめ部３３２Ａと同様に（左右対称に）構成されているので、同様の効果を奏することができる。
【００６０】
なお、本発明は前記実施形態に限定されるものではなく、その他種々の態様で実施できる。例えば、前記では、１つの同軸ケーブルに対して２つの同軸ケーブルを並列に接続するように構成したが、本発明はこれに限定されない。１つの同軸ケーブルに対して、３つ以上の同軸ケーブルを並列に接続するように構成してもよい。この場合、かしめ部は、３つ以上の同軸ケーブルのそれぞれに対応するように３つ以上設ければよい。また、３つ以上の同軸ケーブルのうち最も外側に配列された２つの同軸ケーブルの少なくとも一方のかしめ部を、前述したかしめ部３３２Ａ，３３２Ｂと同様に構成すればよい。この構成によっても、当該かしめ部を内側爪部を短くした分だけ配列方向の内側に配置することができるので、同軸コネクタ３の大型化を抑えることができる。
【００６１】
また、前記では、例えば図８に示すように、かしめ部３３２Ａが同軸ケーブル２Ａをかしめた状態において、内側爪部３３２Ａｂの先端部と外側爪部３３２Ａｃの先端部との間に隙間を有するものとしたが、本発明はこれに限定されない。内側爪部３３２Ａｂの先端部と外側爪部３３２Ａｃの先端部とは、突き当たるように接触していてもよいし、一部重複するように接触してもよい。
【００６２】
また、前記では、例えば図５Ｃに示すように、同軸ケーブル２Ａ，２Ｂを受け入れ易くするために、かしめ部３３２Ａ，３３２Ｂがあらかじめ曲げ加工されるものとしたが、当該曲げ加工は必ずしも行う必要はない。
【００６３】
また、前記では、かしめ部３３２Ａ，３３２Ｂは、爪部３３２Ａ１，３３２Ｂ１と、爪部３３２Ａ２，３３２Ｂ２とに分割されるものとしたが、本発明はこれに限定されない。かしめ部３３２Ａ，３３２Ｂは、爪部３３２Ａ１，３３２Ｂ１と、爪部３３２Ａ２，３３２Ｂ２とが一体化した１つの爪部で構成されてもよい。
【００６４】
また、前記では、同軸コネクタ３は、Ｌ型同軸コネクタであるものとしたが、本発明はこれに限定されない。同軸コネクタ３は、例えば、ストレート型同軸コネクタであってもよい。
【００６５】
また、図６では、かしめ部３３２Ａ，３３２Ｂが一様な厚さを有する板状部材で構成されるものとして示したが、本発明はこれに限定されない。例えば、かしめ部３３２Ａは、図９に示すように、同軸ケーブル２Ａの外周部に沿う内側面が、内側爪部３３２Ａｂの先端部において当該先端部に向かうに従い内側面とは反対側の外側面に向けて傾斜する傾斜部分３３２Ａｄを備えてもよい。また、かしめ部３３２Ａは、同軸ケーブル２Ａの外周部に沿う内側面が、外側爪部３３２Ａｃの先端部において当該先端部に向かうに従い内側面とは反対側の外側面に向けて傾斜する傾斜部分３３２Ａｅを備えてもよい。同様に、かしめ部３３２Ｂは、同軸ケーブル２Ｂの外周部に沿う内側面が、内側爪部３３２Ｂｂの先端部において当該先端部に向かうに従い内側面とは反対側の外側面に向けて傾斜する傾斜部分３３２Ｂｄを備えてもよい。また、かしめ部３３２Ｂは、同軸ケーブル２Ｂの外周部に沿う内側面が、外側爪部３３２Ｂｃの先端部において当該先端部に向かうに従い内側面とは反対側の外側面に向けて傾斜する傾斜部分３３２Ｂｅを備えてもよい。傾斜部分３３２Ａｄ，３３２Ａｅ，３３２Ｂｄ，３３２Ａｅは、例えば、同軸ケーブル２Ａ，２Ｂの外周部に沿う内側面の先端部を面取りしてかしめ部３３２Ａ，３３２Ｂの厚みを薄くすることにより形成される。これらの構成によれば、かしめ部３３２Ａ，３３２Ｂが同軸ケーブル２Ａ，２Ｂをかしめるときに、内側爪部３３２Ａｂ，３３２Ｂｂの先端部及び外側爪部３３２Ａｃ，３３２Ｂｃによって同軸ケーブル２Ａ，２Ｂが損傷することを抑えることができる。
【００６６】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００６７】
本発明に係る同軸コネクタは、複数の同軸ケーブルを並列に接続可能であるとともに大型化を抑えることができるので、例えば、多極コネクタとして有用である。
【符号の説明】
【００６８】
１      プラグケーブル（同軸ケーブル付き同軸コネクタ）
２Ａ，２Ｂ  同軸ケーブル
２１    絶縁被膜
２２    外部導体
２３    絶縁性部材
２４    中心導体
３    コネクタ
３１    内部端子
３２    絶縁性部材
３２１  上ケース
３２２  下ケース
３３    外部端子
３３１  保持部
３３１Ａ，３３１Ｂ  爪部
３３２，３３２ａ，３３２ｂ  板状部材
３３２Ａ，３３２Ｂ  かしめ部
３３２Ａ１，３３２Ａ２，３３２Ｂ１，３３２Ｂ２  爪部
３３２Ａａ，３３２Ｂａ  底部
３３２Ａｂ，３３２Ｂｂ  内側爪部
３３２Ａｃ，３３２Ｂｃ  外側爪部
３３２Ａｄ，３３２Ａｅ，３３２Ｂｄ，３３２Ｂｅ  傾斜部分
４      相手方コネクタ
４１    中心導体
４２    絶縁性部材
４３    外部導体
５０    圧着装置
５１    アンビル
５１ａ  凹部
５２    クリンパ
５２ａ  溝部
５２ｂ  凸部
【図１】
2019044905.tif 000003
【図２】
2019044905.tif 000004
【図３】
2019044905.tif 000005
【図４】
2019044905.tif 000006
【図５Ａ】
2019044905.tif 000007
【図５Ｂ】
2019044905.tif 000008
【図５Ｃ】
2019044905.tif 000009
【図６】
2019044905.tif 000010
【図７】
2019044905.tif 000011
【図８】
2019044905.tif 000012
【図９】
2019044905.tif 000013
【図１０】
2019044905.tif 000014
【手続補正書】
【提出日】令和2年2月20日(2020.2.20)
【手続補正１】
【補正対象書類名】明細書
【補正対象項目名】００５４
【補正方法】変更
【補正の内容】
【００５４】
また、本実施形態に係る同軸コネクタ３によれば、内側爪部３３２Ａｂは、同軸ケーブル２Ａの外周の４分の１以上の長さを有している。この構成によれば、内側爪部３３２Ａｂと外側爪部３３２Ａｃとにより同軸ケーブル２Ａを直径分、保持することができる。これにより、同軸ケーブル２Ａをかしめ部３３２Ａで固定する際に、同軸ケーブル２Ａの横方向（配列方向Ｘ）の移動を規制することができ、同軸コネクタ３の製造を容易にすることができる。
【手続補正２】
【補正対象書類名】明細書
【補正対象項目名】００５５
【補正方法】変更
【補正の内容】
【００５５】
また、本実施形態に係る同軸コネクタ３によれば、内側爪部３３２Ａｂと外側爪部３３２Ａｃとの合計長さは、同軸ケーブル２Ａの外周と同一に構成されている。この構成によれば、同軸ケーブル２Ａとかしめ部３３２Ａとの接触面積を大きくして、同軸ケーブル２Ａを保持する信頼性を向上させることができる。また、同軸ケーブル２Ａをかしめるために、同軸ケーブル２Ａを必要以上に圧縮して断面形状を変形させる必要がなく、同軸ケーブル２Ａの断面形状の変形による特性インピーダンスの変動を抑えて、電気的特性の劣化を抑えることができる。なお、「同一」とは、完全に同一であることを意味するものではなく、製造上の公差等を鑑み、ほぼ同一であることも含む意味である。
【手続補正３】
【補正対象書類名】特許請求の範囲
【補正対象項目名】請求項６
【補正方法】変更
【補正の内容】
【請求項６】
前記複数のかしめ部の前記配列方向において最も外側に設けられたかしめ部のうち少なくとも一方のかしめ部は、前記同軸ケーブルの外周部に沿う内側面が、前記内側爪部の先端部及び前記外側爪部の先端部の少なくとも一方において、当該先端部に向かうに従い前記内側面とは反対側の外側面に向けて傾斜する傾斜部分を備える、請求項１〜５のいずれか１つに記載の同軸コネクタ。
【国際調査報告】
2019044905.tif 000015
2019044905.tif 000016